(57)【要約】【課題】イチゴなどを収納する食品用トレーの底面で圧迫される果物の劣化を防止する。【解決手段】箱の内側の側壁部分をくり抜くことで、食品用トレーの縁を保持する係止穴を設け、その係止穴と、箱底面から立ち上げた仕切板により食品用トレーを箱内部に宙吊り状態に支持して箱の底面と食品用トレーの底面とが接触しないようにする。【選択図】図３
0003160364.tif 000002
【実用新案登録請求の範囲】
【請求項１】
段ボールなどの一枚の打ち抜きブランクより作られた包装箱であって、展開状態において矩形の底板を中央部に形成し、その底板の四辺に、縁板と、内外一対の側板からなる２重側壁部を額縁状に設け、その内側の側壁部分をくり抜いて食品用トレーの縁を保持する係止穴を設けると共に、その係止穴と箱底面から切起こした仕切板とにより、包装箱内部に食品用トレーを宙吊り状態に支持して箱の底面と食品用トレーの底面とが接触しないようにしたことを特徴とする１ピース型宙吊り包装箱。
【請求項２】
箱底面から切り起こした仕切板と平行に延びる内側の側板に、前記仕切板と同じ高さに、食品用トレーの縁を保持する係止穴を設け、かつ、箱底面から切り起こした仕切板の両端部を、その仕切板と直交方向に延びる内側の側板の中央部に設けた切込穴に挿入し掛合わせて固定したことを特徴とする請求項１に記載の１ピース型宙吊り包装箱。
【請求項３】
請求項1に記載の１ピース型宙吊り包装箱であって、額縁状に形成した２重側壁の縁板部に嵌合突起を形成し、さらに底板の左右の端部に前記嵌合突起に対応する係止用穴を形成した請求項１〜２の何れか１項に記載の１ピース型宙吊り包装箱。
【考案の詳細な説明】
【技術分野】
【０００１】
本考案は宙吊り包装箱に関し、特に縁付の食品用トレーを包装するための包装箱に関する。
【背景技術】
【０００２】
イチゴ、ぶどう、さくらんぼ、びわ、いちじく等の果実を出荷するとき、従来はイチゴ等を縁付の食品用トレーにパック詰めし、この果実入った食品用トレーを包装箱に複数個収容して出荷している。このとき、運搬時の振動が直接果物に伝わるのを防ぐため、食品用トレーの底を箱から浮いた状態で保持して包装する必要があった。
このような包装ができる包装箱として、特許文献１では、段ボールブランクからなる箱の中に、食品用トレーの縁を保持するために、箱とは別ピースの中仕切りを設け、箱の側壁には食品用トレーの縁を支持する支持片を切り起して設けた包装箱が提案されている（特許文献1の図４参照）。また、特許文献２には、箱の４側壁が額縁タイプではないが、食品用トレーの縁を支持する支持片を箱底面から切り起した仕切板に設けた包装箱が提案されている（特許文献２の図５参照）。さらに、同様な構成を持った包装箱は特許文献３（図７参照）にも記載されている。
いずれの包装箱も、食品用トレーの縁を箱の側壁に設けた支持片と、底面から切起こした仕切板や、箱とは別ピースからなる仕切板とを用いることにより、箱の内部に宙吊り状態に保持するものであった。
【先行技術文献】
【特許文献】
【０００３】
【特許文献１】特開２００４−２７６９５４号公報
【特許文献２】特開２００４−２５００９８号公報
【特許文献３】特開２００８−８１１７５号公報
【考案の概要】
【考案が解決しようとする課題】
【０００４】
しかし、包装箱本体とは別のピースからなる仕切部材（食品用トレー受台）を箱内部にセットアップする必要があったので、この仕切を利用して食品用トレーを宙吊り状態に保持するものは、部材点数が必然的に多くなり、セットアップに手間がかかるので、使用者から改善を求められている。
また、例えば食品用トレーを市場や量販店に出荷する場合に、包装箱に例えば２個パックずつ収納した後、その包装箱を多段積みし、テープ掛けして市場や量販店に出荷することがある。その場合には荷扱いにより往々にして積上げた包装箱が荷崩れし、また損傷を受けやすい。そこで包装箱を積重ねした場合に荷崩れを起すことなく、また緩衝性の高い構造に作成することができるものである。
【０００５】
本考案は、上記のような実情に鑑みなされたものであって、その第１の目的とするところは、箱とは別ピースからなる仕切部材（食品用トレー受台）を必要としないで、箱内部に食品用トレーを宙吊り状態に保持することができる１ピースタイプの食品用トレー宙吊りケースを提案することにある。
また、本考案の第２の目的は、包装箱の側板を２重側壁構造にすることにより、緩衝性に富む食品用トレー包装箱を容易に製造することができ、かつ積上げた包装箱の荷崩れを防止できる包装箱を提案するものである。
【課題を解決するための手段】
【０００６】
上記課題を解決するために、請求項１の考案は、段ボールなどの一枚の打ち抜きブランクより作られた包装箱であって、展開状態において、矩形の底板を中央部に形成し、その矩形の底板の四辺に、縁板と、内外一対の側板とからなる２重側壁部を額縁状に設け、その内側の側壁部分をくり抜いて食品用トレーの縁を保持する係止穴を設けと共に、その係止穴と、箱底面から切起こした仕切板とにより、包装箱内部に食品用トレーを宙吊り状態に支持して、箱の底面と食品用トレーの底面とが接触しないようにしたことを特徴とする１ピース型宙吊り包装箱である。
【０００７】
また、請求項２の考案は、箱底面から切り起こした仕切板と平行に延びる内側の側板に、前記仕切板と同じ高さに、食品用トレーの縁を保持する係止穴を設け、かつ、箱底面から切り起こした仕切板の両端部を、その仕切板と直交方向に延びる内側の側板の中央部に設けた切込穴に挿入し掛合わせて固定したことを特徴とする請求項1に記載の１ピース型宙吊り包装箱である。
【０００８】
また、請求項３の考案は、請求項1に記載の１ピース型宙吊り包装箱の額縁状に形成した２重側壁の縁板部に嵌合突起を形成し、さらに底板の左右の端部に前記嵌合突起に対応する係止用穴を形成したものである。
【０００９】
上記構成の包装箱は、イチゴ等の食品用トレーを包装箱内に宙吊り状態に浮かせて出荷し運搬することができるから、底面と接する果物の荷痛みを防止、軽減することを可能となる。
そして本考案によれば、箱本体とは別のピースからなる仕切部材（食品用トレー受台）を必要とせずに、食品用トレーを箱内部に宙吊り状態に保持することができるため、組立て作業が容易で、包装材料を節減することができる。
さらにまた、箱を積重ねたときに、上段の箱がズレ落ちることなく安定した積み上げ状態を得ることができる等の利点を有している。
【図面の簡単な説明】
【００１０】
【図１】図１は本考案の実施例の展開図である。
【図２】図２は組立て過程を示す斜視図である。
【図３】図３は組立て完成図である。
【図４】図４は食品用トレーを包装した状態を示す断面図である。
【図５】図５は包装箱の積上げ状態を示す断面図である。
【考案を実施するための形態】
【００１１】
以下、本考案の実施形態を図面を参照して具体的に説明する。
図１は、本考案の包装箱の展開図を示すものである。この包装箱は、廃棄処理並びにリサイクル処理の容易な段ボール等の紙を素材として作製される。この実施例は緩衝性と断熱性に優れたＡフルート又はＢフルートの１枚の打ち抜き段ボールブランクから形成されているが、Ｅフルート又はＧフルートと呼ばれている薄い段ボールを使用することもできる。また段ボールに代え、一般紙器用の板紙を使用しても構わない。
【００１２】
図１の展開図について具体的に説明する。符号１は、矩形状の底板、２ａと２ｂは前記底板の対向した長側辺に折線を介して連接した内外一対の側板である。
符号３で示すものは、前記一対の側板２aと２ｂとの間に折線を介して設けた細長い縁板である。同じく符号４ａと４ｂは、底板１の対向した短側辺に折線を介して連接した内外一対の側板である。５は、前記一対の側板４aと４ｂとの間に折線を介して設けた細長い縁板である。さらに符号６ａと６ｂは、前記一対の側板４aと４ｂの両端に連接した折込片である。
【００１３】
また、一対の側板の一方２ｂの外側縁部の中央には掛け止突起７を設け、その掛け止め突起に対応して底板１の端部に掛け止め孔８を形成する。同じく一対の側板の一方４ｂの外側縁部の中央には、掛け止め突起９を設け、その掛け止め突起に対応して底板１の端部に掛け止孔１０を形成する。
また、前記一対の側板４aと４ｂのうち、組立て時に内側に折り曲げる短側板４ｂには、その側板をくり抜いて食品用トレーの縁を保持する２個の、ほぼ矩形の係止穴１１を長さ方向に並べて形成する。
【００１４】
一方、底板１の中央部には前記短側板４ａと４ｂとに平行に２本の折線１２を設け、この折線１２を挟んで、ほぼコ字形の互いに向き合う切込み１３ａ、１３ｂを設ける。この２本の切込み１３ａ、１３ｂと、２本の折線１２、１２により、箱底面に、対となる中仕切材１４ａ、１４ｂを一体に形成している。なお、側板２ｂの掛け止め突起７の直近には、箱底面から切起こして中仕切材１４ａ、１４ｂの端部を挿入する嵌合孔１５、１５を形成する。
【００１５】
また、内外一対の側板２ａ、２ｂ間には、縁板３を跨ぐように一対の切線１６ａ、１６ｂを左右２組ずつ設ける。そして、各組の両切線間の中央部に、両切線をつなぐように折目１７を設けることで、両切線１６ａと１６ｂの中央に、スタッキング用の突起片１７を形成する。この突起片１７に対応して、底板１に設ける掛け止め孔８の前後に、係止用穴１８を形成する。
【００１６】
図２は、図１の展開状態から組立てる過程を示す斜視図である。図３は別方向から見た包装箱の完成図であって、底板１の四辺に内外一対の側板からなる２重側壁を額縁状に立ち上げたものである。この時、短側板４ｂの内側に、食品用トレーの縁を保持するほぼ矩形の係止穴１１を２個、長さ方向に並べて形成する。
その後、箱底面から切起こした中仕切材１４ａ、１４ｂの端部を嵌合孔１５、１５に挿入する。こうすると中仕切材１４ａ、１４ｂは、底板１に対してほぼ直立状態に維持される。
【００１７】
図４は、イチゴを詰める食品用トレーの包装した状態を示す断面図である。図５は、包装箱の積上げ状態を示す断面図である。図３、図４にも示すとおり、イチゴを出荷する時には、箱内の中仕切材により箱内に複数の部屋（小間）を形成し、各小間に符号Ｐで示す食品用トレーを配置し、食品用トレーＰの底面と箱底面とが接触しないように食品用トレーの縁を、２重の側壁の内側をくり抜いて形成した係止穴と、中仕切材との上縁とに引っ掛け食品用トレーの底を箱底に接しないように保持するのである（図４参照）。
そして、このような包装箱を、額縁状に形成した２重側壁の縁板部に形成した突起片１7と、さらに底板の端部に設ける係止用穴１８を利用して荷崩れせぬように所定個数積上げ、テープ掛けなどして市場や量販店などに出荷する（図５参照）。
【００１８】
以上説明したように本考案は、イチゴ等の果肉が固い箱底に押されて痛みやすい食品を縁付の食品用トレーに入れて出荷し運搬するときに、を輸送中食品用トレーを宙吊り状態に浮かせることができるから、底面の圧迫による果物の荷痛みを軽減することを可能となる。また箱を積重ねたときに、上段の箱がズレ落ちることなく安定した積み上げ状態を得ることが可能である。
【符号の説明】
【００１９】
１  底板    ２ａ，２ｂ  側板  ３  縁板    ４ａ,４ｂ  側板  
５  縁板    ６ａ、６ｂ  折込片    ７  掛け止め突起  
８  掛け止め孔    ９  掛け止め突起    １０  掛け止め孔  
１１  係止穴    １２  折線    １３ａ、１３ｂ  コ字形をした切込み
１４ａ、１４ｂ  中仕切材    １５  嵌合孔    １６ａ、１６ｂ  一対の切線
１７  スタッキング用の突起片  １８  係止用穴
【図１】
0003160364.tif 000003
【図２】
0003160364.tif 000004
【図３】
0003160364.tif 000005
【図４】
0003160364.tif 000006
【図５】
0003160364.tif 000007
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
紙を素材とする一枚の打ち抜きブランクより作られた包装箱であって、展開状態において矩形の底板を中央部に形成し、その底板の四辺に、縁板と、内外一対の側板からなる２重側壁部を額縁状に設け、その内側の側壁部分をくり抜いて食品用トレーの縁を保持する係止穴を設けると共に、その係止穴と箱底面から切起こした仕切板とにより、包装箱内部に食品用トレーを宙吊り状態に支持して箱の底面と食品用トレーの底面とが接触しないようにしたことを特徴とする１ピース型宙吊り包装箱。
【請求項２】
箱底面から切り起こした仕切板と平行に延びる内側の側板に、前記仕切板と同じ高さに、食品用トレーの縁を保持する係止穴を設け、かつ、箱底面から切り起こした仕切板の両端部を、その仕切板と直交方向に延びる内側の側板の中央部に設けた切込穴に挿入し掛合わせて固定したことを特徴とする請求項1に記載の１ピース型宙吊り包装箱。
【請求項３】
請求項１に記載の１ピース型宙吊り包装箱であって、額縁状に形成した２重側壁の縁板部に嵌合突起を形成し、さらに底板の左右の端部に前記嵌合突起に対応する係止用穴を形成したことを特徴とする１ピース型宙吊り包装箱。